(57)【特許請求の範囲】
【請求項１】
ベッド（１）構成用のベッド部材（８）は、底板（２０）の幅方向両側に側壁（２１）が立設されて断面形状が上部開放のコ字状であり、この断面に直交する方向に長手方向を有し、複数の突条物（２２、２３）が底板（２０）の内面より上方に突出して前記長手方向に設けられ、それら突条物（２２、２３）の間に回収溝（２４）が形成され、前記突条物（２２、２３）の上方であって両側壁（２１）間には培土植物の栽培ができる厚さで収容できる深さの培土収容部が設けられ、このベッド部材（８）は、発泡スチロール製の一体成形品であり、
前記ベッド部材（８）がその長手方向端部で突き合わされて一列に複数連結されることによってベッド（１）が構成され、
前記ベッド（１）の内側に防水フィルム（９）を敷いてベッド部材（８）の突き合わせ部分を被覆し、
前記突条物（２２、２３）の上を被覆する前記防水フィルム（９）の上に、発泡樹脂製で通水孔（２）のある板状の中敷（３）を載せてベッド（１）の長手方向に配置し、この中敷（３）と前記回収溝（２４）による空間（５）が形成され、
前記中敷（３）の上に液体、空気は通すが植物の根は通さない防根シート（６）を敷き、この防根シート（６）の上であって前記培土収容部全体に培土（７）が収容され、
ベッド（１）の内底（４）に備えられる複数の突条物の下面側に、上方に窪んだ溝が形成され、
前記溝には、前記ベッド（１）を載せるパイプ製ベンチのパイプが嵌合可能であることを特徴とする養液培地植物栽培システム。
【請求項２】
請求項１記載の養液培地植物栽培システムにおいて、
チューブ（１０）の散布孔から散布され培土（７）を透過して空間（５）内に流れ込む液体を回収可能であって、この回収した液体を前記チューブ（１０）に循環供給可能な溶液タンクを備えたことを特徴とする養液培地植物栽培システム。
【請求項３】
請求項１又は請求項２記載の養液培地植物栽培システムにおいて、
長手方向に間隔をあけて散布孔が開口された液体散布用のチューブ（１０）が、前記培土（７）の上であってベッド（１）の長手方向に沿って配置され、その液体散布用のチューブ（１０）は通常は扁平であるが、通水時には膨らむものであることを特徴とする養液培地植物栽培システム。
【発明の詳細な説明】
【０００１】
【発明の属する技術分野】
本発明はベッド内に栽培用の培土を入れ、培土に養液を供給して、培土に植えた植物を栽培する養液培地植物栽培システムの改良に関するものである。
【０００２】
【従来の技術】
養液培地植物栽培システムは従来からある。その一例としては図４に示すように、断面形状がコ字状のベッド部材Ａを多数連結したベッドＢの内側に防水フィルムＣを敷いてベッド部材Ａ同士の継ぎ目を被覆し、防水フィルムＣの内側に培土Ｄを敷き詰め、培土Ｄに植物Ｅを植え、培土Ｄに養液を供給して植物栽培している。
【０００３】
【発明が解決しようとする課題】
前記した従来の養液培地植物栽培システムには次のような課題があった。
１．培土Ｄに供給した養液が防水フィルムＣ内に溜まるため、培土Ｄの下層部が常に湿りがちになり、植物Ｅが根腐れし易い。
２．培土Ｄの下層部が乾燥するようにすると、培土Ｄの上層部は乾燥し過ぎて水分不足になり、植物Ｅが枯れ易くなる。
３．日時の経過により培土が次第に圧縮されて、培土Ｄの内部に酸素が通りにくくなり、培土Ｄ内が酸欠状態になり、培土Ｄが植物の成育に好ましくなくなる。
４．防水フィルムＣの上に培土Ｄを入れてあり、培土Ｄの下部に溜った水分をベッドＢの外部に回収するのが難しい。
５．培土Ｄとしてロックウールを使用する場合は、ロックウールが燃えないため、古くなったロックウールを処分できず困っている。
【０００４】
【課題を解決するための手段】
本発明の目的は培土内の水分調節が容易で、培土内の通気性及び通水性を植物栽培に適した良好な状態に保持することができ、根腐れせず、根が張り易く、植物が成育し易く、余った養液をベッドの外部に回収して循環させて使用することができる養液培地植物栽培システムを提供することにある。
【０００５】
本発明の請求項１記載の溶液培地植物栽培システムは、ベッド１構成用のベッド部材８は、底板２０の幅方向両側に側壁２１が立設されて断面形状が上部開放のコ字状であり、この断面に直交する方向に長手方向を有し、複数の突条物２２、２３が底板２０の内面より上方に突出して前記長手方向に設けられ、それら突条物２２、２３の間に回収溝２４が形成され、前記突条物２２、２３の上方であって両側壁２１間には培土植物の栽培ができる厚さで収容できる深さの培土収容部が設けられ、このベッド部材８は発泡スチロール製の一体成形品であり、前記ベッド部材８がその長手方向端部で突き合わされて一列に複数連結されることによってベッド１が構成され、前記ベッド１の内側に防水フィルム９を敷いてベッド部材８の突き合わせ部分を被覆し、前記突条物２２、２３の上を被覆する前記防水フィルム９の上に、発泡樹脂製で通水孔２のある板状の中敷３を載せてベッド１の長手方向に配置し、この中敷３と前記回収溝２４による空間５が形成され、前記中敷３の上に液体、空気は通すが植物の根は通さない防根シート６を敷き、この防根シート６の上であって前記培土収容部全体に培土７が収容され、ベッド１の内底４に備えられる複数の突条物の下面側に、上方に窪んだ溝が形成され、前記溝には、前記ベッド１を載せるパイプ製ベンチのパイプが嵌合可能なものである。
【０００６】
【０００７】
本発明の請求項２記載の溶液培地植物栽培システムは、請求項１記載の溶液培地植物栽培システムにおいて、チューブ１０の散布孔から散布され培土７を透過して空間５内に流れ込む液体を回収可能であって、この回収した液体を前記チューブ１０に循環供給可能な溶液タンクを備えたものである。
【０００８】
本発明の請求項３記載の溶液培地植物栽培システムは、請求項１又は請求項２記載の養液培地植物栽培システムにおいて、長手方向に間隔をあけて散布孔が開口された液体散布用のチューブ１０が、前記培土７の上であってベッド１の長手方向に沿って配置され、その液体散布用のチューブ１０は通常は扁平であるが、通水時には膨らむものであることを特徴とするものである。
【００１０】
【発明の実施の形態】
本発明の養液培地植物栽培システムの実施形態の一例を図１〜図３に基づいて詳細に説明する。このシステムは図１に示す様にベッド１の内側に防水フィルム９を敷き、防水フィルム９の上からベッド１の内側に中敷３を配置し、中敷３の上に防根シート６を敷き、防根シート６の内側に培土７が入れてある。
【００１１】
ベッド１は図２に示すベッド部材８を多数、一列に連結して構成されている。ベッド部材８は発泡スチロールとか他の樹脂等の材料により成形さている。ベッド部材８は底板２０の幅方向両端から側壁２１が立ち上り、底板２０の幅方向中央部内面に上方に突出する受け突条２２がベッド部材８の長手方向に沿って設けられ、底板２０の幅方向両端に上方に立ち上がる受部２３がベッド部材８の長手方向に沿って設けられ、この受部２３と前記受け突条２２との間に回収溝２４が形成されている。底板２０の底面２５のうち受け突条２２と受部２３の下には上方に窪んだ溝２６が形成されている。この溝２６はベッド部材８の軽量化、材料の節約とコストダウンに役立ち、また、ベッド部材８を図示されていないパイプ製ベンチに載せるときにパイプに嵌合させることができ、この嵌合によりベッド部材８が位置決めされ、位置ズレが防止されるようにしてある。
【００１２】
図１ではベッド部材８の端部を突き合わせて連結したベッド１の内面に防水フィルム９を敷いてベッド部材８の継ぎ目を被覆してある。防水フィルム９にはナイロンとか他の樹脂シートやフィルムが使用される。防水フィルム９はベッド部材８の側壁内面に沿って張って、側壁２１の上端から外側に垂れ下げてある。
【００１３】
図１では防水フィルム９の上からベッド１の内側に中敷３を入れて、ベッド部材８の受け突条２２と受部２３の上に載せてある。この場合、中敷３の底面２７とベッド１の内底４との間に空間５が形成される。中敷３も発泡樹脂とか他の樹脂により板状に成形されている。中敷３の底面２７には図３（ａ）に示す様に幅方向に間隔をあけて２本の突条２８が突設され、それに沿って複数の通水孔２が開口されている。突条２８は主として補強用である。通水孔２の全周は図３（ｂ）に示す様にその外周から通水孔２に向けて次第に下り傾斜になって、通水孔２に水が流れ込み易くなる様にしてある。
【００１４】
図１では中敷３の上に防根シート６が敷かれている。防根シート６は水、空気は通すが、植物の根、塵芥等は通さない材質製であり、フィルタの機能を備えている。防根シート６もベッド部材８の側壁内面に沿って張って、側壁２１の上端から外側に垂れ下げてある。
【００１５】
図１では防根シート６の内側に植物栽培用の培土７を入れてある。通常の土は３〜４年経過して古くなると、次第に圧縮されて内部に酸素が通りにくくなり、内部が酸欠状態になるので植物にとって好ましくない。従って、培土７にはピートモス、籾殻、椰子殻チップ、焼いた石、焼いた土等の無機質のものが適する。これらは単独で使用することも、二以上を組合せて使用することもできる。これらは圧縮されにくく、通気性、通水性に富むため植物３０の根３１が張り易くなり、安定する。これらを二種類以上組合せて使用する場合は圧縮されにくいものとか、粒が大きいもの、或は通気性、通水性等に優れたものを下に敷き、その上に粒の小さいもの、保水性に優れたもの等を敷いて所望層に積層したり、それらを混合して使用したりすることができる。
【００１６】
培土７の上には液体散布用のチューブ１０を載せてある。このチューブ１０は軟質性の樹脂製とかゴム製であり、通常は自重で潰れて扁平になっているが、養液（水、或いは肥料を含んだ液体）を通すと膨らむようになっている。チューブ１０の両側面には小さな散布孔が長手方向に沿って多数開口されており、同チューブ１０に供給された液体がその散布孔から培土７に散布されるようにしてある。チューブ１０は培土７の上に直接載せるのではなく、それから上に浮かせて配置するすることもできる。チューブ１０からの養液散布はタイマーにより定期的に散布するとか、培土７の水分を水分センサで検知し、その検知結果に応じて自動的に散布されるようにしたりする。
【００１７】
培土に栽培する植物３０は野菜、果菜類、花等のいずれであっても良い。
【００１８】
本発明の養液培地植物栽培システムの培土７に植物３０を定植すれば、チューブ１０から培土７に散水された養液は培土７内に浸透して根３１から吸収される。培土７を通過した養液は防根シート６を透過し、中敷３の通水孔２を通過してベッド１の空間５内に落下し、その空間５内に溜る。この場合、防根シート６は植物の根や塵芥は通さないが液体や空気は通すため、防根シート６を通過して空間５内に溜る液体には塵芥や培土７の混入はほとんどないため、循環使用するのに適する。
【００１９】
図示されていないが、ベッド１をその長手方向一方に多少傾斜させるとか、ベッド１はベンチの上に水平に設置するが、ベッド部材８は内底４に長手方向一方に下りとなる傾斜をつけておき、その傾斜に沿ってベッド１の内底４が長手方向一方に下り傾斜となる様にすれば、空間５内に溜った養液はそれら傾斜に沿って空間５内を流れ、ベッド１の外部に排出される。この養液を図示されていない回収路に回収して溶液タンクに戻し、同タンクから散布用のチューブ１０に供給して循環させることができる。
【００２０】
【発明の効果】
本発明の請求項１〜請求項３記載の養液培地植物栽培システムは次の様な効果がある。
１．通水孔を有する中敷を、ベッドの内底との間に空間をあけてベッド内に配置したので、培土内を通過した液体が空間内に落下し、培土の通水性（水はけ）が向上し、培土内に養液が均一に行き渡り、且つ、植物が根腐れしにくい。また、培土内に酸素が供給され易くなり、植物の成育環境がより一層向上する。
２．前記空間を設けたことにより培土内の通気性も向上し、培土が圧縮されにくくなるので、根が張り易くなり、植物が安定する。
３．中敷の上に液体と空気は通すが、植物の根は通さない防根シートを敷いたので、防根シートがフィルタの役割を果たし、培土内を透過した養液が濾過されて空間に溜まるので、同養液を回収して循環させるのに都合が良く、養液の使用量を抑制してコストダウンにつなげることができる。
【００２１】
本発明の請求項２記載の養液培地植物栽培システムは前記効果の他に次の様な効果もある。即ち、複数のベッド部材を突き合わせて一列に連結したベッドの内側に防水フィルムを敷き、その上からベッド内に空間をあけて中敷を配置したので、ベッド部材の継ぎ目（突き合わせ箇所）から外部に養液が漏出することがない。このため養液を効率良く回収できる。
【００２２】
本発明の請求項３記載の養液培地植物栽培システムは前記効果の他に次の様な効果もある。即ち、培土の上に、液体散布用のチューブを配置したので、養液をチューブから培土全体にほぼ均一に散布することができ、培土の水分がバラつかず、植物の成育に適する。
【図面の簡単な説明】
【図１】  本発明の養液培地植物栽培システムの実施形態の一例を示す断面図。
【図２】  本発明の養液培地植物栽培システムのベッド部材の一例を示す斜視図。
【図３】  （ａ）は本発明の養液培地植物栽培システムの中敷の一例を示す斜視図、（ｂ）は（ａ）の通水孔周辺の断面図。
【図４】  従来の養液培地植物栽培システムを示す断面図。
【符号の説明】
１  ベッド
２  通水孔
３  中敷
４  ベッドの内底
５  空間
６  防根シート
７  培土
８  ベッド部材
９  防水フィルム
１０  チューブ
【図１】
0004719327.tif 000002
【図２】
0004719327.tif 000003
【図３】
0004719327.tif 000004
【図４】
0004719327.tif 000005